(57)【要約】  チャイルドレジスタント機能を備えるとともに小径化の要請に対応することができる安全キャップを提供する。容器の口部に着脱自在に装着するねじ式の内キャップは、横向きに突設する水平片と、上面から上向きに突設する垂直片と、該垂直片よりも先端位置が高く上面に上向きに突設するばね片とを有する。該内キャップに対して相対的に回転可能に組み合わせる外キャップは、内周面から突設する係合リブと、天面から下向きに突設する係合突部と、天面に形成されたドーム状の凹部とを有する。ばね片は先端が凹部の内面に弾発的に摺接して外キャップを上向きに付勢する。係合リブは外キャップを閉じる方向に回転させるときには水平片に係合し、外キャップを開ける方向に回転させるときには係合しない。係合突部は外キャップを押し下げて開ける方向に回転させると垂直片に係合し、外キャップを押し下げずに開ける方向に回転させても係合しない。
2013190723.tif 000002
【特許請求の範囲】
【請求項１】
容器の口部に着脱自在に装着するねじ式の内キャップと、該内キャップに対して相対的に回転可能に組み合わせる外キャップとを備える安全キャップであって、
前記内キャップは、
横向きに突設する水平片と、
上面から上向きに突設する垂直片と、
該垂直片よりも先端位置が高く、上面に上向きに突設するばね片とを有し、
前記外キャップは、
内周面から突設する係合リブと、
天面から下向きに突設する係合突部と、
天面に形成されたドーム状の凹部とを有し、
前記ばね片は、前記先端が前記凹部の内面に弾発的に摺接して前記外キャップを上向きに付勢し、
前記係合リブは、前記外キャップを閉じる方向に回転させるときには前記水平片に係合し、前記外キャップを開ける方向に回転させるときには前記水平片に係合せず、
前記係合突部は、前記外キャップを押し下げて開ける方向に回転させると前記垂直片に係合し、前記外キャップを押し下げずに開ける方向に回転させても前記垂直片に係合しないことを特徴とする安全キャップ。
【請求項２】
前記水平片は、前記垂直片の側面の一部から突設することを特徴とする請求項１に記載の安全キャップ。
【請求項３】
前記水平片は、内キャップの外周上部の接線方向に、閉じるときの回転方向と反対の向きに突設することを特徴とする請求項１に記載の安全キャップ。
【請求項４】
前記内キャップは、さらに、外周下部に環状リブを有し、
前記外キャップは、さらに、内周下部に複数の突部を有し、
前記環状リブと前記複数の突部とが係合することにより、前記外キャップを前記内キャップから外れ止めすることを特徴とする請求項１〜３のいずれか１項に記載の安全キャップ。
【請求項５】
前記環状リブは、前記突部と同数の谷部と山部とを交互に上縁に沿って形成することを特徴とする請求項４に記載の安全キャップ。
【請求項６】
前記外キャップには、内外に連通する開口部を設けることを特徴とする請求項４に記載の安全キャップ。
【発明の詳細な説明】
【技術分野】
【０００１】
本発明は、乳幼児等によって不用意に開栓され難い様に、キャップ構造を工夫したチャイルドレジスタント機能付きの安全キャップに関する。
【背景技術】
【０００２】
容器の口部に装着するための雌ねじ付きの内キャップと、内キャップに対し軸方向に相対移動可能な外キャップとを備え、内キャップと外キャップとの間にラチェット機構を組み込んだチャイルドレジスタント機能付きの安全キャップが知られている(例えば特許文献１参照）。【０００３】
特許文献１の安全キャップには、外キャップの天面に羽根板状の複数の係合片が形成され、内キャップの上面に安全キャップを容器に締め付ける場合にのみ外キャップ側の係合片と係合可能な係合リブが形成されている。さらに特許文献１の安全キャップには、外キャップの天面に複数の係合突部が形成され、内キャップの上面に外キャップを押し下げながら回転させたときに外キャップ側の係合突部と係合可能な係合突部が形成されている。ここで、外キャップ側の羽根板状の複数の係合片は外キャップを押し上げる板ばねとして作用する。使用者は外キャップを係合片の付勢力に抗して押し下げながら開方向に回転させることによってのみ内キャップを開栓し得る。以上のように、安全キャップの取り外しには巧妙な操作が必要である。このような操作を乳幼児が正しく実行することは難しいため、チャイルドレジスタント機能を実現することができる。
【先行技術文献】
【特許文献】
【０００４】
【特許文献１】特開昭５０−０６０３８７号公報
【発明の概要】
【発明が解決しようとする課題】
【０００５】
従来の特許文献１の安全キャップでは、外キャップ側の羽根板状の係合片には、強度的に十分な大きさや板厚が必要であるため小径化が難しいという問題がある。【０００６】
本発明は以上のような従来の安全キャップにおける問題を考慮してなされたものであり、チャイルドレジスタント機能を備えるとともに、小径化の要請に対応することができる安全キャップを提供することを目的とする。
【課題を解決するための手段】
【０００７】
本発明の構成は、容器の口部に着脱自在に装着するねじ式の内キャップと、該内キャップに対して相対的に回転可能に組み合わせる外キャップとを備える安全キャップであって、前記内キャップは、横向きに突設する水平片と、上面から上向きに突設する垂直片と、該垂直片よりも先端位置が高く、上面に上向きに突設するばね片とを有し、前記外キャップは、内周面から突設する係合リブと、天面から下向きに突設する係合突部と、天面に形成されたドーム状の凹部とを有し、前記ばね片は、前記先端が前記凹部の内面に弾発的に摺接して前記外キャップを上向きに付勢し、前記係合リブは、前記外キャップを閉じる方向に回転させるときには前記水平片に係合し、前記外キャップを開ける方向に回転させるときには前記水平片に係合せず、前記係合突部は、前記外キャップを押し下げて開ける方向に回転させると前記垂直片に係合し、前記外キャップを押し下げずに開ける方向に回転させても前記垂直片に係合しないことをその要旨とする。  【０００８】
前記水平片は、前記垂直片の側面の一部から突設することができる。
前記水平片は、内キャップの外周上部の接線方向に、閉じるときの回転方向と反対の向きに突設することができる。【０００９】
前記内キャップは、さらに、外周下部に環状リブを有し、前記外キャップは、さらに、内周下部に複数の突部を有し、前記環状リブと前記複数の突部とが係合することにより、前記外キャップを前記内キャップから外れ止めすることができる。
前記環状リブは、前記突部と同数の谷部と山部とを交互に上縁に沿って形成することができる。
前記外キャップには、内外に連通する開口部を設けることができる。
【発明の効果】
【００１０】
本発明の安全キャップによれば、内キャップに形成された水平片は横向きに突設されており、外キャップに形成された係合リブは内周面から突設されているので、外キャップを閉じる方向に回転させるときには、水平片が係合リブと係合して、内キャップを閉じる方向に回転させることができる。一方、外キャップを開ける方向に回転させるときには、水平片が係合リブと係合することなく、外キャップだけが空転する。そこで内キャップを開栓させるときには、内キャップ上面に上向きに突設するばね片の付勢力に抗して、外キャップを押し下げながら開方向に回転させ、外キャップの天面から下向きに突設する係合突起を、内キャップ上面から上向きに突設する垂直片に係合させることにより内キャップを開ける方向に回転させる。【００１１】
なお、外キャップ側の係合リブは外キャップの内周面から突設するので、例えば断面略直角三角形状の細幅に形成してもよい。また内キャップ側の水平片は、横方向に突設するので、例えば、外キャップの内周面に弾発的に摺接し得る長さの板ばねとして、該内周面の接線方向に突出させてもよい。従って外キャップ及び内キャップにおいて、複数個の係合リブ及び水平片をそれぞれ等間隔に設けるとしても、外キャップの外径が２０ｍｍ以下、内キャップの外径が１６ｍｍ以下の小径に抑えることが可能である。また係合リブと水平片とは、同数であってもよいし、前者が後者より多くてもよい。ただし、水平片の全数が一斉に係合リブに係合するように、両者の周方向の相対位置を設定することが好ましい。  【００１２】
また安全キャップにおいて、水平片を垂直片の側面の一部から横向きに突設させることにより、水平片用及び垂直片用のそれぞれに専用の設置スペースを内キャップ上に個別に用意する必要がなくなり、内キャップをさらに小径に抑えることができる。
また安全キャップにおいて、水平片を内キャップの外周上部の接線方向に、閉じるときの回転方向と反対の向きに突設させることにより、水平片を小さくまとめることができるので、内キャップをさらに小径に抑えることができる。  【００１３】
また安全キャップにおいて、内キャップの外周下部に形成された環状リブと、外キャップの外周下部に形成された複数の突部とを上下に係合させることにより、外キャップを内キャップから外れ止めすることができる。
また安全キャップにおいて、内キャップの外周下部に形成された環状リブの上縁に沿って谷部と山部とを交互に形成することにより、内キャップを外キャップに挿入する組立時において、両者の相対角度を適切な位置に自動的に合わせることができる。よって、両者の相対角度が不適切であるために内キャップ側の水平片が外キャップ側の係合リブに干渉するという不具合を確実に回避することができる。ここで環状リブ、複数の突部は、それぞれ外キャップの内周下部、内キャップの外周下部に形成することも可能である。
また安全キャップにおいて、内キャップ側の環状リブと外キャップ側の複数の突部とを組み合わせることにより内キャップと外キャップとの間に隙間を確保することができるので、外キャップに内外に連通する開口部を併せて形成することにより、乳幼児らが誤って飲み込んだ場合に窒息するおそれを排除することができる。
【図面の簡単な説明】
【００１４】
【図１】図１（Ａ）は、本発明の実施形態に係る安全キャップの縦断面図である。図１（Ｂ）は、図１（Ａ）のＸ−Ｘ線矢視相当の、安全キャップの断面図である。
【図２】図２は、内キャップの斜視図である。
【図３】図３（Ａ）は外キャップの上面図、図３（Ｂ）は外キャップの一部破断斜視図、図３（Ｃ）は外キャップの中央縦断面図、図３（Ｄ）は外キャップの底面図である。
【図４】図４（Ａ）は、外キャップを押し下げたときの図１（Ａ）相当図である。図４（Ｂ）は、図４（Ａ）のＹ−Ｙ線矢視相当の、安全キャップの断面図である。
【図５】図５は、他の実施形態を示す図２相当図である。
【発明を実施するための形態】
【００１５】
以下、図面を以って本発明の実施形態を説明する。
【００１６】
安全キャップは、仮想的に示した容器Ｂ（図１（Ａ）中の２点鎖線）の口部Ｂ１に装着するねじ式の内キャップ１０と、内キャップ１０に被せるようにして組み合わせる外キャップ２０とを備えてなる（図１（Ａ）、（Ｂ）参照）。図１（Ａ）は、本発明の実施形態に係る安全キャップの縦断面図である。図１（Ｂ）は、図１（Ａ）のＸ−Ｘ線矢視相当の、安全キャップの断面図である。
【００１７】
容器Ｂの口部Ｂ１の外周には、雄ねじＢ２が形成されている。また、口部Ｂ１は、ノズルＮが圧入される。ノズルＮの軸心上には、ノズル孔Ｎ１が開口されている。ノズルＮの外周中間部には、口部Ｂ１の上端に係合する外フランジＮ２が形成されている。
【００１８】
内キャップ１０は、下部開放のスカート体１１の上面に対し、上向きの垂直片１３、１３…を介して横向きの水平片１２、１２…を設けるとともに、上向きのばね片１４、１４を突設して構成されている（図１（Ａ）、（Ｂ）、図２参照）。図２は、内キャップ１０の斜視図である。内キャップ１０は、適切な弾性を有する硬質プラスチック材料により一体成形されている。
【００１９】
スカート体１１の外周上部には、斜め上向きの段部１１ａが形成される。スカート体１１の外周下部には、環状リブ１５が形成されている。なお、環状リブ１５の上縁は、直線状の斜面に形成される。環状リブ１５の下縁は、円弧状に丸められている。スカート体１１の外径は、段部１１ａの上部、下部、環状リブ１５の下部の順に大径に形成されている。一方、スカート体１１の天面中央部には、ノズルＮのノズル孔Ｎ１を閉塞する栓部１６が垂設される。スカート体１１の内周中間部には、容器Ｂの口部Ｂ１上の外フランジＮ２に係合する段部１１ｂが形成されている。また、スカート体１１の内周下部には、容器Ｂ側の雄ねじＢ２に適合する雌ねじ２７が形成されている。
【００２０】
垂直片１３、１３…は、スカート体１１の上面の周端縁部に沿って周方向に等間隔に突設されている。各垂直片１３は、スカート体１１の外周上部に合わせて湾曲しており、雄ねじＢ２、雌ねじ１７による内キャップ１０の閉方向（図２の矢印Ｋ方向）後側の側面に水平片１２を横向きに付設している。なお、各垂直片１３は、水平片１２の上方、下方の周方向の幅ａ、ｂとして、ｂ＞ａに形成されている。
【００２１】
各水平片１２は、各垂直片１３の中間部において、スカート体１１の外周上部の接線方向に閉方向後向きに突設されている。各水平片１２の先端は、内向きに鋭角の斜面１２ａに形成されている。各水平片１２の上辺は、外向きの斜面１２ｂに形成されている。また、各水平片１２の下方には、横長の切欠き１１ｃがスカート体１１の上端縁に沿って形成されている。切欠き１１ｃの垂直片１３側の一端は、スカート体１１の外周上部に対して大きな鈍角の平面１１ｃ１に形成されている。水平片１２の先端側の一端は、スカート体１１の外周上部の直径方向にほぼ一致する平面１１ｃ２に形成されている。
【００２２】
ばね片１４、１４は、細幅の板状に形成され、互いに相対向する一対がスカート体１１の上面に上向きに突設されている。各ばね片１４は、各垂直片１３より高く形成されている。各ばね片１４の先端は、閉方向前方側が閉方向後方側より高くなるように滑らかに丸められている。
【００２３】
外キャップ２０は、上から下に向けて僅かに大径となる下部開放のテーパ状に形成されている（図１（Ａ）、（Ｂ）、図３（Ａ）〜（Ｄ）参照）。外キャップ２０は、適切な硬質プラスチック材料により一体成形されている。図３（Ａ）は外キャップ２０の上面図、図３（Ｂ）は外キャップ２０の一部破断斜視図、図３（Ｃ）は外キャップ２０の中央縦断面図、図３（Ｄ）は外キャップ２０の底面図である。
【００２４】
外キャップ２０の外面には、滑り止め用のローレット２１、２１…が形成されている。また、外キャップ２０の上端部には、内外に連通する縦長の開口部２２、２２…が上端周縁に沿って周方向に等間隔に形成されている。各開口部２２は、外キャップ２０の周側部から上端面にまで連続している。
【００２５】
外キャップ２０の内周中間部には、斜め下向きの段部２３が形成されている。段部２３の上部は、外面と平行なテーパ部２３ａに形成されている。段部２３の下部は、内径が一定の平行部２３ｂに形成されている。
【００２６】
外キャップ２０の天面中央部には、ドーム状の凹部２４が下向きに形成されている。凹部２４の周囲には、下向きの係合突部２５、２５…が周方向に等間隔に形成されている。なお、凹部２４の周囲には、円形のリブ２４ａが形成され、各係合突部２５は、リブ２４ａの外周に接続するようにして底面視扇形に形成されている。  
【００２７】
外キャップ２０の内面上部には、断面略直角三角形状の縦長の係合リブ２７、２７…が周方向に等間隔に形成されている。各係合リブ２７は、外キャップ２０の天面から外キャップ２０の内面に沿って垂下するとともに、外キャップ２０の閉方向（図３（Ａ）、（Ｄ）の各矢印Ｋ方向）前方側が外キャップ２０の内面に対して直角に近い鋭角の斜面２７ａに形成され、外キャップ２０の閉方向後方側が緩斜面２７ｂに形成されている。なお、各係合リブ２７の下端部は、斜面２７ｃとして斜めに切り上げられている。
【００２８】
外キャップ２０の内周下部には、複数の突部２８、２８…が周方向に等間隔に、同一高さ位置に形成されている。各突部２８の頂部は、平行部２３ｂの内周と同心円状の短い横長の線条部２８ａに形成されている。
【００２９】
かかる安全キャップは、外キャップ２０を内キャップ１０に被せるようにして組み合わせ（図１（Ａ）参照）、外キャップ２０の突部２８、２８…が内キャップ１０の環状リブ１５を上から下に乗り越えることにより、外キャップ２０を外れ止めすることができる。なお、このとき、内キャップ１０のばね片１４、１４の先端は、外キャップ２０のドーム状の凹部２４の内面に摺接して僅かに内側に弾性変形し、外キャップ２０を上向きに押し上げる付勢力を生じ、外キャップ２０は、突部２８、２８…、環状リブ１５によって規定される上昇位置に保持されている。また、内キャップ１０の水平片１２、１２…は、外キャップ２０の内面上部の係合リブ２７、２７…を横切る高さ位置において、先端が外キャップ２０の内面に接触して内側に僅かに湾曲するように弾性変形している。さらに、内キャップ１０の垂直片１３、１３…は、外キャップ２０の凹部２４の周囲のリブ２４ａの外側下方にあり、係合突部２５、２５…に接触することがない。  
【００３０】
そこで、この状態で外キャップ２０を閉方向に回転させると（図１（Ｂ）の矢印Ｋ方向）、外キャップ２０の係合リブ２７、２７…が内キャップ１０の水平片１２、１２…の先端に一斉に係合して内キャップ１０を閉方向に回転させ、容器Ｂを閉栓することができる。なお、このとき、各水平片１２の先端の斜面１２ａは、対応する係合リブ２７の斜面２７ａに密着する。また、内キャップ１０の締付限界は、内周の段部１１ｂが口部Ｂ１上のノズルＮの外フランジＮ２に係合することにより規定される。
【００３１】
一方、外キャップ２０を開方向（図１（Ｂ）の矢印Ｋ方向と反対方向）に回転させても、各水平片１２の先端は、各係合リブ２７の緩斜面２７ｂを昇るようにして係合リブ２７を横切り、外キャップ２０が空転するだけで容器Ｂが開栓されることがない。なお、空転中の各水平片１２は、その先端が係合リブ２７から外れると、外キャップ２０の内面に弾発的に当接し、空転中であることを示す衝突音を発生する。
【００３２】
容器Ｂを開栓するときは、外キャップ２０を内キャップ１０に向けて押し下げながら（図４（Ａ）の白抜き矢印方向）、外キャップ２０を開方向に回転させる（図４（Ｂ）の矢印Ｋ１方向）。このとき、外キャップ２０の下向きの係合突部２５、２５…は、内キャップ１０の垂直片１３、１３…の上端部に対して一斉に横から係合して内キャップ１０を開方向に回転させ、容器Ｂを開栓することができる。なお、外キャップ２０を押し下げると、内キャップ１０のばね片１４、１４は、凹部２４内で大きく内側に湾曲して弾性変形し、外キャップ２０の押下げ移動を許容する。また、外キャップ２０は、頂部に加える押下げ力を除去すると、ばね片１４、１４の付勢力によって元の上昇位置に自動的に復帰する。
【００３３】
なお、外キャップ２０、内キャップ１０を組み立てるに際し、両者の相対回転位置により、内キャップ１０の水平片１２、１２…が外キャップ２０の係合リブ２７、２７…と干渉することが起こり得る。しかし、その場合であっても、各水平片１２の上辺が外向きの斜面１２ｂに形成され、各係合リブ２７の下端部が斜面２７ｃに形成されているため、各水平片１２は、係合リブ２７上に滑らかに乗り上げることができる。
【００３４】
また、安全キャップは、内キャップ１０の環状リブ１５と、外キャップ２０の突部２８、２８…とが上下に係合しても、突部２８、２８…が環状リブ１５に連続的に接触する訳ではない。そこで、仮に万一、乳幼児らが安全キャップを誤って飲み込んでも、窒息のおそれがない。突部２８、２８…、環状リブ１５の間には、十分な通気性の隙間があり、外キャップ２０には、開口部２２、２２…が形成されているからである。なお、開口部２２、２２…は、外キャップ２０の上端面から周側面にかけて開口している形態が好ましく、その形状、個数を問わないものとする。
【００３５】
（変形例）
内キャップ１０は、スカート体１１の外周下部の環状リブ１５の上縁に沿って、山部１５ａ、１５ａ…、谷部１５ｂ、１５ｂ…を交互に周方向に等間隔に形成することができる（図５参照）。
【００３６】
山部１５ａ、１５ａ…、谷部１５ｂ、１５ｂ…は、それぞれ外キャップ２０側の突部２８、２８…と同数が形成されている。そこで、外キャップ２０を内キャップ１０に組み合わせるに際し、突部２８、２８…を谷部１５ｂ、１５ｂ…に個別に落ち込ませることにより外キャップ２０、内キャップ１０の相対回転位置を一律に正しく規定することができる。すなわち、内キャップ１０の水平片１２、１２…のいずれも外キャップ２０の係合リブ２７と干渉しないように谷部１５ｂ、１５ｂ…の周方向の形成位置を設定すれば、組立時における水平片１２、１２…と係合リブ２７、２７…との干渉を排し、組立作業を一層滑らかにすることができる。
【００３７】
以上の説明において、容器Ｂは、液体でなく、錠剤のような固体や、粉体、粒体などの物品を収納してもよい。そのとき、容器Ｂは、ノズルＮを使用することなく、内キャップ１０は、天面に装着するパッキンを介して容器Ｂの口部Ｂ１をシールしてもよい。      
【００３８】
本願は、２０１２年６月２２日に出願された日本国特許出願第２０１２−１４０８９５号に基づく優先権の利益を主張するものである。２０１２年６月２２日に出願された日本国特許出願第２０１２−１４０８９５号の明細書の全内容が、本願に参考のため援用される。
【産業上の利用可能性】
【００３９】
本発明の安全キャップは、小径のチャイルドレジスタント機能付きの安全キャップとして、任意の物品を収納する容器に対して広く好適に適用することができる。
【符号の説明】
【００４０】
１０    内キャップ
１２    水平片
１３    垂直片
１４    ばね片
１５    環状リブ
１５ａ  山部
１５ｂ  谷部
２０    外キャップ
２２    開口部
２４    凹部
２５    係合突部
２８    突部
【図１】
2013190723.tif 000003
【図２】
2013190723.tif 000004
【図３】
2013190723.tif 000005
【図４】
2013190723.tif 000006
【図５】
2013190723.tif 000007
【国際調査報告】
2013190723.tif 000008
2013190723.tif 000009
2013190723.tif 000010